(57)【要約】      （修正有）【課題】電動鋸での切断加工の際に使用する小物木材支え具を提供する。【解決手段】電動鋸１１の切断方向に対して、小物木材ｔの切断幅が本体台座の縁から飛び出るように小物木材の前後端（奥行き端及び手前端）を挟み込む本体台座の奥行き端に配置される縦固定板３と縦固定板方向に移動する縦移動板４、及び、本体台座の縁から所定の幅を残して貫通して開口する縦移動溝６とからなる。縦移動板は、縦移動溝内を移動する縦支持板及び内側ラセン切込鋼管と一体に接合され、本体台座下の手前端に配置される縦移動ハンドルを回動させることにより、外側ラセン切込鉄筋が回動し、これに歯合する内側ラセン切込鋼管及び一体化された縦移動板を電動鋸切断方向に移動して小物木材を固定する。横移動板７ａ、横移動ハンドル８ａ、並びに横移動溝９ａ、を設け、横方向にも固定するのが好ましい。【選択図】図１
0003188910.tif 000002
【実用新案登録請求の範囲】
【請求項１】
電動鋸の切断方向に対して、小物木材の切断幅が本体台座の縁から飛び出るように当該小物木材の前後端（奥行き端及び手前端）を挟み込む前記本体台座の奥行き端に配置される縦固定板と当該縦固定板方向に移動する縦移動板、及び、前記本体台座の縁から所定の幅を残して貫通して開口する縦移動溝とからなり、
前記縦移動板は、前記縦移動溝内を移動する縦支持板及び内側ラセン切込鋼管と一体に接合され、前記本体台座下の手前端に配置される縦移動ハンドルを回動させることにより、当該縦移動ハンドルの回動に伴って回動する外側ラセン切込鉄筋が、これに歯合する前記内側ラセン切込鋼管及び一体化された縦移動板を電動鋸切断方向に移動することを特徴とする小物木材支え具。
【請求項２】
前記小物木材支え具は、電動鋸の切断方向に対して、直角方向に配置され、小物木材の切断面の反対側に当接される横移動板、及び、前記本体台座の電動鋸切断方向に対して直交して貫通して開口する横移動溝とからなり、
前記横移動板は、前記横移動溝内を移動する横支持板及び内側ラセン切込鋼管と一体に接合され、前記本体台座の切断縁の反対側下端に配置される横移動ハンドルを回動させることにより、当該横移動ハンドルの回動に伴って回動する外側ラセン切込鉄筋が、これに歯合する前記内側ラセン切込鋼管及び一体化された横移動板を小物木材の切断面の反対側に移動することを特徴とする請求項１に記載の小物木材支え具。
【請求項３】
前記横移動板を移動させる外側ラセン切込鉄筋が、前記縦移動板を移動させる外側ラセン切込鉄筋の下に直交して配置されたことを特徴とする請求項１又は２に記載の小物木材支え具。
【請求項４】
一体に接合された前記横移動板、横支持板、内側ラセン切込鋼管、及び、前記横移動ハンドル、外側ラセン切込鉄筋が、一又は二以上の組として、前記本体台座の任意の位置に配置されたことを特徴とする請求項２又は３に記載の小物木材支え具。
【請求項５】
前記縦固定板、前記縦移動板、前記横移動板の小物木材との当接面に複数の針状突起が形成され、又は、当接表面に複数の針状突起が飛び出た構造の外れ防止押さえ板が取り付けられたことを特徴とする請求項１ないし４のいずれかの記載の小物木材支え具。
【考案の詳細な説明】
【技術分野】
【０００１】
本考案は、被加工木材の支え具、特に、電動鋸を用いて小物木材加工の際に使用される小物木材支え具に関する。
【背景技術】
【０００２】
従来、この種の電動丸鋸等を用いて被加工木材を安全に精度良く切断する際に使用される治具として、例えば、実開平４-３３５０３号公報に開示のもの（考案の名称「電動鋸用案内定規」）が知られている。
図５は、当該実開平４-３３５０３号公報に開示の切断する被加工木材の両側部面に当接させて、電動鋸を用いて予め設定する任意の角度に切断する電動鋸用案内定規具実施例斜視図（当該公報の第７図）である。
【０００３】
図５において、「ア」は、ガイドレール、「イ」は、案内定規具、「オ」は、加工木材、１０１は、案内定規本体、１０２は、中央部、１０３は、スライド溝、１０４は、固定板、１０５は、丸穴、１０６は、コの字状平板、１０８は、コの字状切欠部、１０９は、棒状カム、１１２は、平板、１１４は、Ｌ型状締付板、１１６は、連結ネジである（なお、符号は、先行技術であることを明らかにするために、本願出願人において、３桁に変更して説明した。）
【０００４】
図５に示される電動鋸用案内定規は、案内定規具イにおいて、前記固定板１１４と前記Ｌ型状締付板１１４の間に前記加工木材オを挟み込み、しかるのち、前記ガイドレールアの側面に電動鋸（図示外）の支持台（図示外）の側辺（図示外）を当接しながら電動鋸を移動させて、前記ガイドレールアから所定距離離れた箇所を（図５に示す例では加工木材オの側部面と直角に）直線状に切断するというものである。
【０００５】
しかしながら、図５に示される案内定規具イは、長尺木材や比較的大きな切断幅の木材を切断する際には、便宜なものかも知れないが、小さな木材や細い木材、細かな木材（例えば、切断幅１ｃｍ〜２０ｃｍ程度）の切断加工には不向きである。
現に、本願考案者は、小さな木材を電動鋸で切断しようとして、鋸刃先がずれて左手親指に怪我をした。
【先行技術文献】
【特許文献】
【０００６】
【特許文献１】実開平４-３３５０３号公報
【考案の概要】
【考案が解決しようとする課題】
【０００７】
そこで、本願考案者は、小さな木材や細い木材、細かな木材等を電動鋸で切断加工する際に使用する小物木材支え具を案出するに至り、電動鋸での切断加工の際に使用する小物木材支え具を提供することを目的とする。
【課題を解決するための手段】
【０００８】
本願請求項１に係る考案は、小物木材支え具において、電動鋸の切断方向に対して、小物木材の切断幅が本体台座の縁から飛び出るように当該小物木材の前後端（奥行き端及び手前端）を挟み込む前記本体台座の奥行き端に配置される縦固定板と当該縦固定板方向に移動する縦移動板、及び、前記本体台座の縁から所定の幅を残して貫通して開口する縦移動溝とからなり、前記縦移動板は、前記縦移動溝内を移動する縦支持板及び内側ラセン切込鋼管と一体に接合され、前記本体台座下の手前端に配置される縦移動ハンドルを回動させることにより、当該縦移動ハンドルの回動に伴って回動する外側ラセン切込鉄筋が、これに歯合する前記内側ラセン切込鋼管及び一体化された縦移動板を電動鋸切断方向に移動することを特徴とする。
また、本願請求項２に係る考案は、前記請求項１に係る小物木材支え具において、前記小物木材支え具は、電動鋸の切断方向に対して、直角方向に配置され、小物木材の切断面の反対側に当接される横移動板、及び、前記本体台座の電動鋸切断方向に対して直交して貫通して開口する横移動溝とからなり、前記横移動板は、前記横移動溝内を移動する横支持板及び内側ラセン切込鋼管と一体に接合され、前記本体台座の切断縁の反対側下端に配置される横移動ハンドルを回動させることにより、当該横移動ハンドルの回動に伴って回動する外側ラセン切込鉄筋が、これに歯合する前記内側ラセン切込鋼管及び一体化された横移動板を小物木材の切断面の反対側に移動することを特徴とする。
さらに、本願請求項３に係る考案は、前記請求項１又は２に係る小物木材支え具において、前記横移動板を移動させる外側ラセン切込鉄筋が、前記縦移動板を移動させる外側ラセン切込鉄筋の下に直交して配置されたことを特徴とする。
そして、本願請求項４に係る考案は、前記請求項２又は３に係る小物木材支え具において、一体に接合された前記横移動板、横支持板、内側ラセン切込鋼管、及び、前記横移動ハンドル、外側ラセン切込鉄筋が、一又は二以上の組として、前記本体台座の任意の位置に配置されたことを特徴とする。
また、本願請求項５に係る考案は、前記請求項１ないし４のいずれかに係る小物木材支え具において、前記縦固定板、前記縦移動板、前記横移動板の小物木材との当接面に複数の針状突起が形成され、又は、当接表面に複数の針状突起が飛び出た構造の外れ防止押さえ板が取り付けられたことを特徴とする。
【考案の効果】
【０００９】
（１）電動鋸で小さな木材や細い木材、細かな木材等を切断加工する際にも安全に切断加工することができる。
（２）小物木材の切断加工に用いるので、装置自体がかさばることがなく、携帯等にも便利である。
【図面の簡単な説明】
【００１０】
【図１】図１は、小物木材支え具の実施例１を示す全体概略図、
【図２】図２は、（Ａ）（Ｂ）（Ｃ）は、本実施例１に係る小物木材支え具１を構成する前記縦移動板４の概略構成図、
【図３】図３（Ａ）（Ｂ）（Ｃ）は、本実施例１に係る小物木材支え具１を構成する一組の前記横移動板７の概略構成図、
【図４】図４は、本実施例１に係る小物木材支え具１における前記被加工木材オとの各当接面（前記縦固定板３、前記縦移動板４及び横移動板７ａ、７ｂ、７ｃと前記被加工木材オの当接面）に設ける複数の針状突起の概略図及び同当接面に複数の針状突起を設けた外れ防止押さえ板の概略図、
【図５】図５は、当該実開平４-３３５０３号公報に開示の切断する被加工木材の両側部面に当接させて、電動鋸を用いて予め設定する任意の角度に切断する電動鋸用案内定規具実施例斜視図（当該公報の第７図）である。
【考案を実施するための形態】
【００１１】
本考案に係る小物木材支え具を実施するための一実施例を図面に基づき詳細に説明する。
【実施例１】
【００１２】
図１は、本考案に係る小物木材支え具を実施するための一実施例である小物木材支え具の実施例１を示す全体概略図である。
図１において、符号１は、本実施例１に係る小物木材支え具、２は、本体台座、３は、縦固定板、４は、縦移動板、５は、縦移動ハンドル、６は、縦移動溝、７ａ、７ｂ、７ｃは、横移動板、８ａ、８ｂ、８ｃは、横移動ハンドル、９ａ、９ｂ、９ｃは、横移動溝、１０ａ〜１０ｆは、脚、１１は、電動鋸、オは、被加工木材である（なお、「縦」「横」の区別は、前記電動鋸１１による切断方向を「縦」とし、これに直交する方向を「横」として以下説明する。）。
【００１３】
本実施例１に係る小物木材支え具１は、電動鋸１１を使用して、小物木材オの任意の箇所を切断加工するための当該小物木材オをしっかりと固定し、切断作業中にも当該小物木材オが動かないようにするための治具であり、小物木材オとして、例えば、切断幅１ｃｍ〜２０ｃｍ程度の切断加工を想定し、また、このため、前記本体台座２としては、１５０ｍｍ×５００ｍｍ程度の大きさのものを想定している。
【００１４】
図１に示されるように、本実施例１に係る小物木材支え具１は、前記電動鋸１１を用いて、前記被加工木材オを切断加工するに際して、被加工小物木材の切断幅が前記本体台座２の縁から飛び出るように、前記本体台座２の奥行き端に配置される前記縦固定板３に前記被加工木材オの奥行き端部を当接させ、また、当該被加工木材オの手前の他端に前記縦移動板４を当接させて、当該縦移動板４を前記縦固定板３方向に移動させて、これらの前記縦固定板３と前記縦移動板４との間で挟み込んで固定するようにしたものである。
【００１５】
前記縦移動板４の移動は、後にも詳述するが、前記縦移動ハンドル５を回動させて、前記縦移動板４を前記縦固定板３方向に移動させることにより行う。そして、前記縦固定板３と前記縦移動板４との間で前記被加工木材オを挟み込んで固定した後に、前記横移動板７ａを前記被加工木材オの切断反対側の側面に当接させ、前記電動鋸１１の動きによっても前記被加工木材オが揺れ動かないように支える。なお、前記縦・横の移動ハンドル５、９ａ、９ｂ、９ｃについては、本実施例１に係る小物木材支え具１においては、図１に示すような円形状の丸型ハンドルとしたが、これは、前記ハンドル５、９ａ、９ｂ、９ｃの軸部端に直角に開口した孔に丸ないしは角状の棒を自在に挿通可能に配設する棒状ハンドルとしてもよいものである。
【００１６】
次に、本実施例１に係る小物木材支え具１を構成する前記縦移動板４の構成及びその各部の動きの詳細について説明する。
図２は、（Ａ）（Ｂ）（Ｃ）は、本実施例１に係る小物木材支え具１を構成する前記縦移動板４の概略構成図であり、図２（Ａ）は、前記縦移動板４の構成概略を示す図であり、図２（Ｂ）は、同断面図、図２（Ｃ）は、前記縦移動板４を支える断面構造図である。
【００１７】
図２（Ａ）（Ｂ）（Ｃ）において、符号２は、前述の本体台座２であり、４、５、６は、前述の縦移動板４及び縦移動ハンドル５並びに縦移動溝６、符号１５は、外側ラセン切込鉄筋、１６は、内側ラセン切込鋼管、１７は、当該内側ラセン切込鋼管１６に前記縦移動板４を固定する縦支持板、１８ａ、１８ｂは、軸受管、１９ａ、１９ｂは、軸受管固定金具である。
【００１８】
本実施例１に係る小物木材支え具１においては、前記外側ラセン切込鉄筋１５としては、１９ｍｍφのものを用い、前記内側ラセン切込鋼管１６としては、２５ｍｍφのものを使用するようにした。
図２（Ａ）（Ｂ）（Ｃ）から明らかなように、前記外側ラセン切込鉄筋１５は、前記縦移動ハンドル５を回動することにより、前記軸受管１８ａ、１８ｂ間で回転する。また、前記軸受管１８ａ、１８ｂは、前記軸受管固定金具１９ａ、１９ｂにより前記本体台座２の裏面に固定配置される。
【００１９】
さらに、前記内側ラセン切込鋼管１６は、前記縦移動板４との間を前記縦支持板１７を介して固定され、かつ、前記縦支持板１７は、前記縦移動溝６に間挿されている。
このような構成からなる前記縦移動板４において、前記縦移動ハンドル５を回動させると、前記外側ラセン切込鉄筋１５が回動し、当該外側ラセン切込鉄筋１５の回動に従って前記内側ラセン切込鋼管１６が前記縦移動ハンドル５の方向又は同ハンドル５に対して奥行き方向に移動する。前記内側ラセン切込鋼管１６が前後に移動するに伴って、これに前記縦支持板１７を介して固定される前記縦移動板４は、前記本体台座２の表面を前記縦移動溝６に沿って移動する。
【００２０】
したがって、本実施例１に係る小物木材支え具１は、前記被加工木材オの奥行き端を前記縦固定板３に当接させ、前記縦ハンドル５を回動させることにより、前記被加工木材オの手前側端が前記縦移動板４に当接するまで前記縦移動板４を前記縦固定板３方向に移動させ、これらの前記縦固定板３と前記縦移動板４との間で前記被加工木材オを挟み込んで固定する構造のものである。
【００２１】
なお、本実施例１に係る小物木材支え具１は、前記縦固定板３と前記縦移動板４との間で挟み込まれる前記被加工木材オについて、前記本体台座２の側部に飛び出る部分を前記電動鋸１１で切断加工する治具であるから、前記被加工木材オの切断加工に際しては、前記電動鋸１１の回動刃の位置及び切断加工する前記被加工木材オの切断加工幅を考慮して、前記被加工木材オの飛び出し位置を決定しなければならない。
このようにして、前記被加工木材オの切断加工幅を考慮して、前記被加工木材オの飛び出し位置を決定した後に、前記被加工木材オの飛び出し部分を前記電動鋸１１で切断加工できるようにしたものである。
【００２２】
しかしながら、前記電動鋸１１の回転刃の回転力は強力であり、特に、被加工木材オが小物木材等である場合には、前後の両端（奥行き端及び手前端）を固定しただけでは、電動鋸１１の鋸刃の回転力やその切断反発力によって前記被加工木材オが切断の最中にも動いてしまう。そこで、本実施例１に係る小物木材支え具１は、前記被加工木材オの前後端（奥行き端及び手前端）を固定すると共に、前記横移動板７ａ、７ｂ、７ｃ及び横移動ハンドル８ａ、８ｂ、８ｃ並びに横移動溝９ａ、９ｂ、９ｃを設け、横方向にも移動しないようにしたものである。
【００２３】
本実施例１に係る小物木材支え具１は、前記横移動板７ａ、７ｂ、７ｃ及び横移動ハンドル８ａ、８ｂ、８ｃ並びに横移動溝９ａ、９ｂ、９ｃとして、３組の前記横移動板７、横移動ハンドル８、横移動溝９を設けたが、これは場合によっては、一組の横移動板７、横移動ハンドル８、横移動溝９又は二組の横移動板７、横移動ハンドル８、横移動溝９であっても良い。
【００２４】
次に、本実施例１に係る小物木材支え具１を構成する前記横移動板７の構成及びその移動の詳細について説明する。
図３（Ａ）（Ｂ）（Ｃ）は、本実施例１に係る小物木材支え具１を構成する一組の前記横移動板７の概略構成図であり、図３（Ａ）は、前記横移動板７の構成概略を示す図であり、図３（Ｂ）は、同断面図、図３（Ｃ）は、前記横移動板７を支える構造図である。
【００２５】
図３（Ａ）（Ｂ）（Ｃ）において、符号２は、前述の本体台座２であり、７、８、９は、前述の横移動板７及び横移動ハンドル８並びに横移動溝９、２０は、外側ラセン切込鉄筋、２１は、内側ラセン切込鋼管、２２は、当該内側ラセン切込鋼管２１に前記横移動板７を固定する横支持板、２３ａ、２３ｂは、軸受管、２４ａ、２４ｂは、軸受管固定金具である。
【００２６】
本実施例１に係る小物木材支え具１においては、上述してきたように、前記外側ラセン切込鉄筋２０としては、１９ｍｍφのものを用い、前記内側ラセン切込鋼管２１としては、２５ｍｍφのものを使用するようにした。
図３（Ａ）（Ｂ）（Ｃ）から明らかなように、前記外側ラセン切込鉄筋２０は、前記縦移動ハンドル８を回動することにより、前記軸受管２３ａ、２３ｂ間で回転する。また、前記軸受管２３ａ、２３ｂは、前記軸受管固定金具２４ａ、２４ｂにより前記本体台座２の裏面に固定配置される。
【００２７】
さらに、前記内側ラセン切込鋼管２１は、前記横移動板７との間を前記横支持板２２を介して固定され、かつ、前記横支持板２２は、前記横移動溝９に間挿されている。
このような構成からなる前記横移動板７において、前記横移動ハンドル８を回動させると、前記外側ラセン切込鉄筋２０が回動し、当該外側ラセン切込鉄筋２０の回動に従って前記内側ラセン切込鋼管２１が前記横移動ハンドル８の方向又は同ハンドル８に対して奥行き方向に移動する。前記内側ラセン切込鋼管２１が前後に移動するに伴って、これに前記横支持板２２を介して固定される前記横移動板７は、前記本体台座２の表面を前記横移動溝９に沿って移動する。
【００２８】
なお、本実施例１に係る小物木材支え具１においては、前記縦移動板４と前記横移動板７とは互いに直角方向に移動可能に構成される。したがって、前記横移動板７を移動させる前記外側ラセン切込鉄筋２０及び前記内側ラセン切込鋼管２１は、前記外側ラセン切込鉄筋１５と前記内側ラセン切込鋼管１６の下方に位置するように固定配置される。このため、前記軸受管２３ａ、２３ｂ及び前記軸受管固定金具２４ａ、２４ｂは、前記縦移動板４と衝突しない配置構成とするため所定の下げ間隔を開けて固定配置される。
【００２９】
本実施例１に係る小物木材支え具１において、前述するように、前記被加工木材オについて、前記電動鋸１１の回動刃の位置及び切断加工する前記被加工木材オの切断加工幅を考慮して、前記被加工木材オの飛び出し位置を決定し、前記被加工木材オを前記縦固定板３と前記縦移動板４との間で挟み込み、さらに、前記縦移動ハンドル６を回動させて被加工木材オをしっかりと固定したら、前記横移動ハンドル８を回動させ、前記外側ラセン切込鉄筋２０が回動させ、前記内側ラセン切込鋼管２１及びこれに固定される前記横移動板７を横方向（前記横移動ハンドル８の手前方向又は同横移動ハンドル８に対して奥行き方向）に移動させるようにする。
【００３０】
本実施例１に係る小物木材支え具１における当該横移動板７は、図１から明らかなように、三組の横移動板７を設け、前記被加工木材オの長さに応じて、当該一組ないし三組のうちの一又は三組の横移動板７ａ、７ｂ、７ｃのそれぞれを移動させ、前記電動鋸の１１による切断加工の際に、前記被加工木材オが横方向にずれることがないようにしっかりと維持するようにしたものである。
【００３１】
したがって、前記被加工木材オの切断加工幅を考慮した飛び出し位置（幅）を決定した後に、前記被加工木材オの奥行き端を前記縦固定板３に当接させ、前記縦ハンドル５を回動させることにより、前記被加工木材オの手前側端が前記縦移動板４に当接するまで前記縦移動板４を前記縦固定板３方向に移動させ、これらの前記縦固定板３と前記縦移動板４との間で前記被加工木材オを挟み込んで固定した後、前記被加工木材オが電動鋸１１による切断作業中に横方向に動いたり、ズレたりしないように、三組の前記横移動板７ａ、７ｂ、７ｃ及び横移動ハンドル８ａ、８ｂ、８ｃ並びに横移動溝９ａ、９ｂ、９ｃのうち、被加工木材オを長さに応じた任意の前記横移動板７を移動させて、被加工木材オに当接するようにしたものである。
【００３２】
（移動板の被加工木材オとの当接について）
なお、本実施例１に係る小物木材支え具１における前記被加工木材オとの各当接面（前記縦固定板３、前記縦移動板４及び前記横移動板７ａ、７ｂ、７ｃと前記被加工木材オの当接面）には、前記電動鋸１１での切断加工作業中に前記被加工木材オが外れることがないように複数の針状突起が飛び出た構造の前記縦固定板３、前記縦移動板４及び前記横移動板７ａ、７ｂ、７ｃとしても良く、また、前記縦固定板３、前記縦移動板４及び前記横移動板７ａ、７ｂ、７ｃの当接面部に当接表面に複数の針状突起が飛び出た構造の外れ防止押さえ板を取り付けるようにしても良いものである。
【００３３】
図４は、本実施例１に係る小物木材支え具１における前記被加工木材オとの各当接面（前記縦固定板３、前記縦移動板４及び横移動板７ａ、７ｂ、７ｃと前記被加工木材オの当接面）に設ける複数の針状突起の概略図及び同当接面に複数の針状突起を設けた外れ防止押さえ板の概略図であり、図４（Ａ）は、前記横移動板７ａ、７ｂ、７ｃ自体の当接面に複数の針状突起が飛び出た形状概略を示す図であり、図４（Ｂ）（Ｃ）は、当接表面に複数の針状突起が飛び出た構造の外れ防止押さえ板を別途取り付けるタイプのの概略を示す図であり、図４（Ｂ）は、前記横移動板７ａ、７ｂ、７ｃに取り付ける例を、図４（Ｃ）は、前記縦固定板３又は前記縦移動板４に取り付ける例を示す概略図である。
【００３４】
図４（Ａ）（Ｂ）（Ｃ）において、２５ａ、２５ｂ、２５ｃ、２５ｄは、前記横移動板７ａ、７ｂ、７ｃの前記被加工木材オの当接面に複数飛び出た針状突起であり、２，７、９は、図１等に示すそれぞれ本体台座２、横移動板７、横移動溝９であり、２６は、複数の針状突起２５ａ、２５ｂ、２５ｃ、２５ｄが飛び出た当接面を有する平板タイプの前記外れ防止押さえ板、２７ａ、２７ｂは、当該外れ防止押さえ板２６を前記横移動板７に固定する固定ネジ、３，４は、図１に示す前記縦固定板３又は前記縦移動板４であり、２８は、前記縦固定板３又は前記縦移動板４の側部から嵌め込みタイプのコの字状前記外れ防止押さえ板である。
【００３５】
図４から明らかなように、本実施例１に係る小物木材支え具１において、前記被加工木材オとの当接面に複数の前記針状突起２５ａ、２５ｂ、２５ｃ、２５ｄを設けることにより、被加工木材オをしっかりと固定し、切断作業に際して、被加工木材オの外れやズレを防止することができる。
【産業上の利用可能性】
【００３６】
本考案は、電動鋸を用いる小物木材加工作業に利用される。
【符号の説明】
【００３７】
１ 小物木材支え具
２ 本体台座
３ 縦固定板
４ 縦移動板
５ 縦移動ハンドル
６ 縦移動溝
７、７ａ、７ｂ、７ｃ 横移動板
７ａ 前記横移動板
８、８ａ、８ｂ、８ｃ 横移動ハンドル
９、９ａ９ｂ、９ｃ 横移動溝
１０ａ、１０ｂ、１０ｃ、１０ｄ、１０ｅ、１０ｆ 脚
１１ 電動鋸
１５ 外側ラセン切込鉄筋
１６ 内側ラセン切込鋼管
１７ 縦支持板
１８ａ、１８ｂ 軸受管
１９ａ、１０ｂ 軸受管固定金具
２０ 外側ラセン切込鉄筋
２１ 内側ラセン切込鋼管
２２ 横支持板
２３ａ、２３ｂ 軸受管
２４ａ、２４ｂ 軸受管固定金具
２５ａ 針状突起
２６ 外れ防止板
２７ａ、２７ｂ  固定ネジ
２８ 外れ防止板
ア ガイドレール
イ 案内定規具
オ 加工木材
１０１ 案内定規本体
１０２ 中央部
１０３ スライド溝
１０４ 固定板
１０５ 丸穴
１０６ コの字状平板
１０８ コの字状切欠部
１０９ 棒状カム
１１２ 平板
１１４ Ｌ型状締付板
１１６ 連結ネジ
【図１】
0003188910.tif 000003
【図２】
0003188910.tif 000004
【図３】
0003188910.tif 000005
【図４】
0003188910.tif 000006
【図５】
0003188910.tif 000007